(57)【要約】【課題】膣内に装着されるペニス調整筒を始めは細くする。膣長及びペニスの長さ及び太さによってペニス調整筒の総長さを伸ばしそしてペニス調整筒の周囲の長さを長くする。ペニス調整筒を外ずそうとする外力を加えないかぎり膣内から外わないようにする。【解決手段】ペニス調整筒の任意の所に横折り返えし部を設けるか又はペニス調整筒に任意に太さ調整部を介して中程に穴を設けた朝顔シートを設け、ペニス調整筒に設ける縦折り返えし部を塞がったペニス調整筒の先端から任意の所まで１通させて設けペニス調整筒及び太さ調整部及び朝顔シートの各各任意の所を通って朝顔シートの外端近くに設けた戻し留部に柔軟戻し留帯を通し、戻し留部に柔軟戻し留帯は入るけど戻らない手段とし、戻し留部の下に人肌に付着する手段を設ける。【選択図】図３３
2010119819.tif 000002
【特許請求の範囲】
【請求項１】
ペニス調整筒（２）、（２１Ｂ）、（２１Ｃ）、（３８）、（７５）、（１３６）、（１１６）、（１６０）を柔軟で先端が塞がって精液が漏れない手段とし他端を任意な太さ請整部（６）を任意に介して朝顔状に開いた朝顔シート（１）を設けペニスが膣内に挿入される前にペニス調整筒を膣内に装着し始めはペニス調整筒の周囲を細めに折り返えしておき挿入されるペニスの太さによって太さ調整部（６）及びペニス調整筒の周囲が自由に伸びる手段とした事を特徴とした朝顔シート付女性用安心避妊具。
【請求項２】
始めはペニス調整筒の長さを短か目に作っておき膣長及び挿入されるペニスの長さによってペニス調整筒の長さがが伸びる手段として朝顔シート（１）及び任意に設けた太さ調整部（６）を膣内に引き込む事によって総長さを伸ばす事を特徴とした朝顔シート付女性用安心避妊具。
【請求項３】
膣内に朝顔シートとペニス調整筒の取り合い部又は朝顔シートとペニス調整筒の間に任意に設ける太さ調整部まで挿入されるかさらにペニスの挿入によりより深くなるのでそれにより追加される長さの部分を朝顔シート（１）を引き込む事により朝顔シートは外周程量が大きくなるので引き込む量が多くなり膣内に引き込む量を出来るだけ少なくした事を特徴とした請求項１、２記載の朝顔シート付女性用安心避妊具。
【請求項４】
膣長及びペニスの長さに合わせるため任意に設ける太さ調整部の任意の所及びペニス調整筒の任意の所に長さを伸ばす手段とした事を特徴とした朝顔シート付女性用避妊具。
【請求項５】
外れる外力を加えないかぎり女性用避妊具が膣から外れない手段とした事を特徴とした朝顔シート付女性用安心避妊具。
【発明の詳細な説明】
【技術分野】
【０００１】  女性用避妊具に関するものである。
【背景技術】
【０００２】  特表２００１−５０７６００等がある。
【発明の開示】
【発明が解決しようとする課題】
【０００３】  エイズが移らないよにする。ペニス調整筒が膣内に簡単に装着出来るようにし膣内に装着されたペニス調整筒の中にペニスが挿入する時ペニスの周囲に合せて伸びる事が出来るようにし膣長及びペニスが膣内に入る長さによりペニス調整筒の長さも長くなるようにしそして膣内にペニスが挿入し往復運動中たまに膣外にペニスが出てもペニス調整筒が外れないようにする。
【課題を解決するための手段】
【０００４】  外形任意で柔軟な（ゴム状等）の朝顔シートのほぼ中程に穴を設けて穴部と柔軟な（ゴム状等）の太さ調整部を任意に設け太さ調整部は朝顔シートの穴との取り合い部は大きい周囲としペニス調整筒と太さ調整部の取り合い部の所の太さ調整部の周囲は朝顔シートとの取り合い部の周囲より小さくしそしてペニス調整筒とつなげペニス調整筒の他端は精液が漏れないように塞ぐ、ペニス調整筒の先端からペニス調整筒の途中又は太さ調整部の途中又は朝顔シートの任意の所まで１通した折り返えし部を設ける。膣内にペニス調整筒が入る時ペニス調整筒が座屈しないように又は性交中たまに膣からペニスが外れた時ペニス調整筒がペニスと共に膣外に出さない為にペニス調整筒の先端あたりと固着しペニス調整筒及び太さ調整部及び朝顔シートに添って又は各各のゴム状等のシート厚の中に又は前各各任意の組み合せた所に柔軟戻し留帯を設けて両端を戻し留部に通し戻し留下部に人肌に接着する接着部を設けて外側から蝋紙を貼る。戻し留手段としては可動する柔軟戻し留帯に出ひっかけ部を設けるか入ひっかけ部を設け、戻し留め部に設けた雄ひっかけ部にひっかけて戻し留めとするか又はくさびの背にバネを設けて可動する柔軟戻し留帯をくさびで締めて戻し留めとする。【０００５】朝顔シートを複数段設ける事もある。
ペニス調整筒に任意に設けられた太さ調整部を介して又は太さ調整部を設けないで上段朝顔シートをつなぐ時は上段朝顔シートの内端と太さ調整部を介して又は介さないでペニス調整筒とつなぎ上段朝顔シートの外端と中段朝顔シートの外端及び中段朝顔シートの内端と下段朝顔シートの内端を各各つなぎ又は中段朝顔シートの内端と下段引き出し帯シートの内端をつなぎ下段朝顔シートの外端又は引き出し帯シートの外端に戻し留部を設けてペニス調整筒の下部と柔軟戻し留帯を固着して柔軟戻し留帯をペニス調整筒及び太さ調整部及び下段朝顔シートに添って戻し留部に通すか又はペニス調整筒及び太さ調整部のゴム状等のシート厚の中に柔軟戻し留帯を内蔵して下段朝顔シートの下部を通って下段朝顔シート厚の中に内蔵して戻し留部に通す。下段朝顔シートの外周端及び戻し留下部に人肌に付着する下部付着部を設けて下部付着部の外側から蝋紙を貼る。【０００６】ペニス調整筒と任意に設けた太さ調整部を介して設け又は太さ調整部を介さないで下段朝顔シートとつなぐ時は下段朝顔シートの外端と中段朝顔シートの外端をつなぎ中段朝顔シートの内端と上段朝顔シートの内端とつなぐか又は中段朝顔シートの内端と上段引き出し帯シートの内端をつなぎ上段朝顔シートの外周端及び上段引き出し帯シートの端に戻し留部を設けてペニス調整筒の先端を塞いで塞いだ所と柔軟戻し留帯を固着してペニス調整筒及び太さ調整部及び下段朝顔シートの下部と上段朝顔シートの外側の方を下段朝顔シートの位置まで下げた上段朝顔シートの外側の下部に添って通した柔軟戻し留帯を戻し留部に通し又はペニス調整筒のゴム状のシート厚の中及び太さ調整部のゴム状のシート厚の中及び下段朝顔シートのゴム状のシート厚の中及び下段朝顔シートの外側に出た上段朝顔シートの外周辺のシート厚の中に又は前記各各任意に組み合わせた所に柔軟戻し留帯を通してさらに戻し留部に通す。上段朝顔シートで下段朝顔シートの外側に出た周辺部の下部又は下段朝顔シートの外側に出た上段引き出し帯シートの下部又は戻し留部の下部に人肌に付着する付着部を帯状に又は点在させて設け付着部の外側に蝋紙を貼る。【０００７】朝顔シートの中程の穴に向けて放射状に折り返した放射状折り返えし部を設ける事もある。放射状折り返えし部は何個所かペニス調整筒及び任意に設ける太さ調整部と上段朝顔シートの取り合い部から数えて何段かの朝顔シート又は任意に設ける太さ調整部と下段朝顔シートの取り合い部から数えて何段目かの朝顔シート又はペニス調整筒と下段朝顔シートの取り合い部から数えて何段目かの朝顔シートに放射状折り返えし部を設ける事もある。放射状折り返えし部はペニス調整筒及び太さ調整部に設ける折り返えし部とし通させる事が好ましい。これは形を作って型に冷えたら柔軟な材料を熱して押し込む又はシートの折り返えし部を１８０度角曲げるのではなく１４０度角位から１７０度角位曲げて型を作って冷やすと柔軟な材料を熱して押し込んで冷えたら型を外して曲げ部を１８０度角に再度げて熱する。【０００８】任意に設ける太さ調整部及びペニス調整筒の長さを伸ばす手段としては太さ調整部及びペニス調整筒の長さ方向と略直角方向の周囲でペニス調整筒の先端からいくらか引いた所に折り返えしに横折り返えし部を設けて次に太さ調整部及びペニス調整筒の長手方向と略並行に折り返えした縦折り返えし部を設ける。
【発明の効果】
【０００９】太さ調整部及びペニス調整筒に縦折り返えし部を設ける事により挿入されるペニスの太さに合せて縦折り返えし部がゆるんでペニスの太さに合せる事が出来る。【００１０】ペニス調整筒に太さ調整部を介して又は太さ調整部を介さないで朝顔シートをつなぐ事により挿入されるペニスの長さより足りないか又は膣長の深さより足りない部分を朝顔シートを引き込む事により調整出来る。ペニス調整筒は膣内に挿入される前は短か目に作っておく。【００１１】朝顔シートを何枚か折り返えして重ねる事により朝顔シートの外周が大きくならないためペニスといっしょに引き込まれる毎の朝顔シートの量がかわらない。【００１２】朝顔シートの中程に設けた穴から略放射状に折り返えした放射状折り返えし部を設ける事により引き込まれる時折り返えしの重なり部が大きくなるので朝顔シートがスムーズに引き込まれる。【００１３】柔軟戻し留帯とペニス調整筒の先端と固着しそしてペニス調整筒と任意に設けた太さ調整部及び朝顔シートに添わせて人肌に付着させた戻し留部に通す事により性交中ペニスがたまたま膣外に出た時にペニス調整筒が膣外に出ない。【００１４】柔軟戻し留帯をペニス調整筒のシート厚の中に設け及び任意に設けた太さ調整部のシート厚の中に設け及び朝顔シート厚の中に設け及び太さ調整部とつながる下段朝顔シート厚の中に設け又はペニス調整筒とつながる下段朝顔シト厚の中に設けた柔軟戻し留帯を延長させて人肌に付着された戻し留部に通す事により性交中ペニスがたまたま膣外に出た時ペニス調整筒が膣外に出ない。【００１５】太さ調整部及びペニス調整筒の任意の所にペニス調整筒の長手方向と略直角方向の周囲に横折り返えし部を設けても良いが出来れば先端からいくらか引いた所に設けた方が良いそしてペニス調整筒の長手方向と並行の縦折り返えし部を設ける事によりペニスが膣内に挿入される事により縦折り返えし部が先ずゆるんで次に横折り返えし部がゆるんでペニスの太さ及び膣長に挿入されるペニスの長さに合せる事が出来る。
【発明を実施させるための最良の形態】
【００１６】ペニス調整筒の先端を精液が漏れないように塞ぎ、ペニス調整筒の長手方向と略直角に折り返した横折り返えし部を何個所か設け、横折り返えし部はペニス調整筒の周囲に設け。ペニス調整筒の長手方向と並行に縦折り返えし部を何個所か設けて太さ調整部にもペニス調整筒に設けた縦折り返えし部と同じ位置に縦折り返えし部を設けて１通化し、太さ調整部と朝顔シートの取り合い部あたりで縦折り返えし部が無くなるようにする。朝顔シートと太さ調整部の取り合い部の穴はペニスの太さに個人着はあるが周囲を１４ｃｍ位から１８ｃｍ位とした略円状の穴の朝顔シートで略円状の穴の朝顔シートに膣の縦長方向の太さ調整部の曲げた曲げ上げ長さは短かいが膣の横短方向の太さ調整部の曲げた曲げ上げ長さは長くする。
【００１７】ペニス調整筒の先端あたりと柔軟戻し留帯を固着しペニス調整筒と太さ調整部及び朝顔シートに添って朝顔シートの端に設けた戻し留部に通す。朝顔シートの外端及び戻し留部の下部に人肌に付着する付着部を設けて付着部の外側から蝋紙を貼る。
【実施例】
【００１８】外形略だ円形の朝顔シート１の中程に直径４ｃｍから６ｃｍ位の穴を設け穴に太さ調整部をつなぎ、太さ調整部は朝顔シートと取り合う方は太径としペニス調整筒と取り合う方は細径とし縦折り返えし部１Ｂ、１Ａ等を何個所か設け太さ調整部の他端にペニス調整筒の１端をつないでペニス調整筒の他端を精液が漏れないように塞ぐ。ペニス調整筒及び太さ調整部の長手方向に並行に縦折り返えし部を何本かペニス調整筒及び太さ調整部とし通させる又は太さ調整部を越して朝顔シートの任意の所まで縦折り返えし部及び横折り返えし部をし通させる。膣内に装着される縦長方向の太さ調整部の曲げ部は小さな曲げ上げ部とし横短方向の曲げ上げ部は大きな曲げ上げ部とする。横短方向の朝顔シートの外端の外に戻し留部を設けてペニス調整筒及び太さ調整部及び朝顔シートの各各のシート厚の中にいくらかの反発手段を持った材質の材料を内蔵させて両端を戻し留部に通過させる、戻し留部の下部に付着部を設けて付着部の外側から蝋紙でかぶせておき、使用時は蝋紙を取り去って女性用避妊具を装着させる。【００１９】ペニス調整筒の１端を塞ぎ他端を太さ調整部とつなぎ太さ調整部の縦長方向の曲げを小さな曲げ上げとし横短方向の曲げを大きな曲げ上げとし太さ調整部の他端を上段朝顔シートでつなぐ上段朝顔シートから数えて下に何段か折り返えして下段朝顔シートの外端に戻し留部を設けるか又は下段帯シートを設けてその外端に戻し留部を設けるか又は太さ調整部の他方に下段朝顔シートの内端をつなぐ、下段朝顔シートから数えて上段方向に何段か折り返えして上段朝顔シートより下の朝顔シートの外端より上段朝顔シートの外端を出して外周端に戻し留部を設けるか又は中段朝顔シートの内端に上段帯シートを結合して上段帯シートより下の朝顔シートの外側より上段帯シートの外端を出して上段帯シートの先端あたりに戻し留め部を設けてペニス調整筒及び太さ調整部及び下段朝顔シートに添って柔軟戻し留帯を戻し留に通すか又はペニス調整筒及び太さ設整部のシート厚に柔軟戻し留め帯を内蔵させて下段朝顔シートの下に添って戻し留部に通す。戻し留部を設けた朝顔シートの外端の下部に及び戻し留部の下部に人肌に付着する付着部を設けて外側から蝋紙を貼る【００２０】ペニス調整筒の長手方向に並行に何本かの縦折り返えし部を太さ調整部及び太さ調整部とペニス調整筒と取り合った所から数えて何段目かの朝顔シートまで朝顔シートの中程に設けた穴に向かって放射状に放射状折り返えし部を設ける。出来るだけペニス調整筒に設け縦折り返えし部と太さ調整部の折り返えし部及び戻し留部を設けた朝顔シートを除いた朝顔シートに設ける放射状折り返えし部とし通させる。
【産業上の利用分野】
【００２１】避妊具産業
【図面の簡単な説明】
【００２２】
【図１】朝顔シート付女性用安心避妊具の全体図。
【図２】Ａ−Ａ断面図。
【図３】Ｂ−Ｂ断面図。
【図４】放射状折り返えし部の朝顔シート付女性用安心避妊具の全体図。
【図５】Ｃ−Ｃ断面図
【図６】Ｄ−Ｄ断面図
【図７】Ｅ−Ｅ断面図
【図８】複数段の放射状折り返えし部の朝顔シート付女性用安心避妊具の全体図。
【図９】Ｆ−Ｆ断面図
【図１０】Ｇ−Ｇ断面図で放射状折り返えし部のない朝顔シート付女性用安心避妊具の断面図。
【図１１】Ｈ−Ｈ断面図
【図１２】Ｉ−Ｉ断面図
【図１３】Ｊ−Ｊ断面図
【図１４】Ｋ−Ｋ断面図
【図１５】Ｌ−Ｌ断面図
【図１６】複数段放射状折り返えし部付朝顔シート付女性用安心避妊具の全体図。
【図１７】Ｍ−Ｍ断面図
【図１８】Ｎ−Ｎ断面図、複数段朝顔シートの断面図（放射状折り返えし部がない）
【図１９】Ｏ−Ｏ断面図
【図２０】Ｐ−Ｐ断面図
【図２１】放射状折り返えし部朝顔シートと平朝顔シートを組み合わせた朝顔シート付女性用安心避妊具の全体図。
【図２２】Ｑ−Ｑ断面図
【図２３】Ｒ−Ｒ断面図  平朝顔シートの時の断面図。
【図２４】Ｓ−Ｓ断面図
【図２５】Ｔ−Ｔ断面図
【図２６】Ｕ−Ｕ断面図
【図２７】複数段放射状折り返えし部付朝顔シート付女性用安心避妊具の全体図。
【図２８】Ｖ−Ｖ断面図
【図２９】Ｗ−Ｗ断面図［図２８］と別の案の朝顔シートが平朝顔シートの断面図。
【図３０】Ｘ−Ｘ断面図。
【図３１】Ｙ−Ｙ断面図。
【図３２】Ｚ−Ｚ断面図。
【図３３】ペニス調整筒が横折り返えし部の朝顔シート付女性用安心避妊具の全体図。
【図３４】ＡＡ−ＡＡ断面図。
【図３５】ＢＢ−ＢＢ断面図。
【符号の説明】
【００２３】折り返えし朝顔シート                    ２１
上段放射状折り返えし朝顔シート          ３１、１５０
中段放射状折り返えし朝顔シート          ３２、７２、１５１
下段放射状折り返えし朝顔シート          ７３、１０８、２００
上段平朝顔シート                        ７１、１５０Ａ、３１Ａ
中段平朝顔シート          １０２Ａ、１０２、１５１Ａ、３２Ａ、７２Ａ、１５１
下段平朝顔シート          １０８Ａ、３３Ａ、７３Ａ、２００
縦折り返えし部            １Ａ、１Ｂ、２Ｊ、２Ａ、２２Ｂ、２２Ａ、３８、７５Ｂ、２０４Ａ、２０４Ｂ
放射状折り返えし部        ２１Ａ、３３、３１、２０１
上段引き出し帯シート      １０４、１１５、１１３、１０７
下段引き出し帯シート      １５２、１７４、１５４、２１０、２２０
ペニス調整筒          ２、２１Ｂ、２１Ｃ、３８、１３６、１６０、２０４、２０５
柔軟戻し留帯          ２Ｃ、２Ｅ、２Ｄ、２Ｉ、２Ｈ、３Ｂ、２４、２４Ｂ  ２４Ａ、２４Ｆ、２４Ｅ、２４Ｈ、２４Ｊ  ４０Ａ  ４０、５１、４０Ｂ、４０Ｃ、７４、１００、１１０  １１１、１０６、１３５、１７６、１６１、２１２、２２２、２０３、２１２
戻し留部              ４、３、２５Ａ、２５Ｂ、２９Ｂ、２９Ｃ、９Ｄ  ３４、５０、４４、８４、１０１、１０９、１１２、１０５、１５３、１７９、２１１、２２１
戻し留下部            ３Ｄ、４Ｄ、２６Ｂ、２６Ｃ、２６Ｄ、４９、４７、４７、８８、７８、１３１、１５５、１７５、２１３、２３３
太さ調整部            ２１Ｅ、６、７５Ａ、１０８Ｂ、２０５Ｂ
戻し留側部            ５６、５５
平朝顔シート又は放射状折り返えし部朝顔シート        ４８
付着部                ３Ｅ、４Ｅ、２３、３６、４３、５３、３６、４７、５４  １１８、１１７Ａ、１０３、１４２Ａ、１３１Ａ、１５５Ａ  １７５Ａ、１８１、１８０、２１３Ａ、２３３Ａ
下部付着部            ３５、８４、１０３、２０７、
くさび                ３Ｃ、４１、４５Ａ、９０、１４０
バネ                  ３Ａ、４２、４６Ａ、９１、１４１
横折り返えし部        ２０２、２０５Ａ
雄ひっかけ部          ４Ｃ、２８Ｂ、２８Ｃ、８Ｄ、４５、４１Ａ、２３５、８０、１１９、１３０、１７７、１５７、２１５
雌ひっかけ部          ４Ａ、２７Ｂ、２７Ｃ、２７Ｄ、４６、４１Ｂ、８１  １２０、１３３、１７８、２１４、２３４
固着部                ２４Ｃ、２４Ｄ、２１Ｄ、５２、７６、１３７、１５９
【図１】
2010119819.tif 000003
【図２】
2010119819.tif 000004
【図３】
2010119819.tif 000005
【図４】
2010119819.tif 000006
【図５】
2010119819.tif 000007
【図６】
2010119819.tif 000008
【図７】
2010119819.tif 000009
【図８】
2010119819.tif 000010
【図９】
2010119819.tif 000011
【図１０】
2010119819.tif 000012
【図１１】
2010119819.tif 000013
【図１２】
2010119819.tif 000014
【図１３】
2010119819.tif 000015
【図１４】
2010119819.tif 000016
【図１５】
2010119819.tif 000017
【図１６】
2010119819.tif 000018
【図１７】
2010119819.tif 000019
【図１８】
2010119819.tif 000020
【図１９】
2010119819.tif 000021
【図２０】
2010119819.tif 000022
【図２１】
2010119819.tif 000023
【図２２】
2010119819.tif 000024
【図２３】
2010119819.tif 000025
【図２４】
2010119819.tif 000026
【図２５】
2010119819.tif 000027
【図２６】
2010119819.tif 000028
【図２７】
2010119819.tif 000029
【図２８】
2010119819.tif 000030
【図２９】
2010119819.tif 000031
【図３０】
2010119819.tif 000032
【図３１】
2010119819.tif 000033
【図３２】
2010119819.tif 000034
【図３３】
2010119819.tif 000035
【図３４】
2010119819.tif 000036
【図３５】
2010119819.tif 000037